(57)【要約】【課題】  フラワーに対し光のイルミネーションを適度に効率良くより明るく与えることが可能で、かつ電源の小型化とともに軽量化をも図り、人飾用や把持用としてより美しく利便性の高いブーケを提供する。【解決手段】  複数のフラワーを着脱可能に保持するヘッド部２と、ヘッド部２に連結するハンド部３とを備えるブーケ１であって、ヘッド部２側に電源線２８を介して複数のＬＥＤランプ２９を設け、ハンド部３内に電源線２８を介して各ＬＥＤランプ２９に電力を供給する乾電池２１を備えるとともに、ハンド部３の一部に電力の供給及び非供給を操作するスイッチ２７を備え、複数のＬＥＤランプ２９を複数のフラワーの間やフラワー自体に鏤めて発光させる。【選択図】      図２
2007098762.tif 000002
【特許請求の範囲】
【請求項１】
ヘッド部に一または複数の装飾品を保持するとともに、前記ヘッド部に連結するハンド部内の電源からの電力で発光する一または複数の発光体を前記複数の装飾品の間や前記装飾品自体に鏤めることを特徴とするブーケ。
【請求項２】
一または複数の装飾品を着脱可能に保持するヘッド部と、当該ヘッド部に連結するハンド部とを備えるブーケにおいて、
前記ヘッド部側に電源線を介して複数の発光体を設け、
前記ハンド部内に前記電源線を介して前記発光体に電力を供給する電源を備えるとともに、前記ハンド部の一部に前記電力の供給及び非供給を操作するスイッチを備え、
前記複数の発光体を前記複数の装飾品の間や前記装飾品自体に鏤めて発光させることを特徴とするブーケ。
【請求項３】
前記装飾品は、生殖または模造の草花であることを特徴とする請求項１または２に記載のブーケ。
【請求項４】
前記電源線は、前記スイッチ側から前記ヘッド部側を通して外界に導かれることを特徴とする請求項１乃至３の何れか一つに記載のブーケ。
【請求項５】
前記発光体は、ＬＥＤランプであることを特徴とする請求項１乃至４の何れか一つに記載のブーケ。
【請求項６】
前記発光体は、前記装飾品を飾るべく所定の形状デザインに形成されていることを特徴とする請求項１乃至５の何れか一つに記載のブーケ。
【請求項７】
前記電源は、乾電池または充電可能のバッテリからなる電源であることを特徴とする請求項１乃至６の何れか一つに記載のブーケ。
【請求項８】
一または複数の装飾品を着脱可能に保持するヘッド部と、当該ヘッド部に連結するハンド部とを備えるブーケホルダにおいて、
前記ヘッド部側に電源線を介して複数の発光体を設け、
前記ハンド部内に前記電源線を介して前記発光体に電力を供給する電源を備えるとともに、前記ハンド部の一部に前記電力の供給及び非供給を操作するスイッチを備えることを特徴とするブーケホルダ。
【発明の詳細な説明】
【技術分野】
【０００１】
本発明は、保持した生殖または模造のフラワー（草花）等の装飾品を複数のＬＥＤランプの発光のイルミネーションで照らしてより美しく飾るブーケに関する。
【背景技術】
【０００２】
例えば生殖や模造のフラワー等を保持したブーケは非常に美しく、周囲の人々の心情を明るく高揚するため人々に好感を与える。このためフラワー等を保持した美しいブーケは、室内やイベント場等の内外を装飾する据置用や、人の衣装を装飾する人飾用や、人の手に持つ把持用等の多方面の用途に多く利用されている。
【０００３】
ブーケの従来例には、ブーケを収容するガラスケースの台座部分にＬＥＤランプを装着し生花等をスポットライトとして照らすというものが知られている。いわゆる据置用のブーケである（例えば、特許文献１参照）。また、ガラスケースを使用せず、例えばハンド部側の四角い電源ケースに複数のＬＥＤランプを装着し造花等をスポットライトとして照らすというブーケも考えられている。
【０００４】
【特許文献１】特開２００５−１２５７２７号公報
【発明の開示】
【発明が解決しようとする課題】
【０００５】
しかしながら、特許文献１に記載の従来例においては、ＬＥＤランプをスポット用として利用するため、生花等を照らすには明るさを増すべく多くの電力が必要になるという問題がある。仮に生花に光ファイバの発光を添えるとしても、その場合、その発光部分の面積は極小さく、そのため光のイルミネーションを発揮するものとしては不十分な構成である。特に生花の交換でその先端位置が変る場合、上記光ファイバの発光部分の位置（即ち光ファイバの長さ）を調整するのも容易ではなく柔軟性に欠けるという問題がある。しかも、その従来例のものはガラスケースを用いる据置用専用であり、人が所持するには非常に不便で、その要望には全く適さないという問題もあった。
【０００６】
一方、ガラスケースを使用せず、例えばハンド部側の四角い電源ケースに複数のＬＥＤランプを装着するという考え方も、同じく生花等を照らすには明るさを増すべく多くの電力が必要になり経済的ではなく、しかも、十分な電力を得るには大きな電源が必要で、その分重量が増し、人飾用や把持用としては不便なものであった。
【０００７】
本発明は、上記従来の技術の問題点を解決し、生殖や模造のフラワー（草花）に対し光のイルミネーションを適度に効率良くより明るく与えることが可能で、かつ、電源の小型化とともに軽量化をも図ることが可能であり、人飾用や把持用としてより美しく利便性の高いブーケを提供することを目的とする。
【課題を解決するための手段】
【０００８】
上記目的を達成するため、本発明は、ヘッド部に一または複数の装飾品を保持するとともに、前記ヘッド部に連結するハンド部内の電源からの電力で発光する一または複数の発光体を前記複数の装飾品の間や前記装飾品自体に鏤めることを特徴とする。
【０００９】
また、本発明は、一または複数の装飾品を着脱可能に保持するヘッド部と、当該ヘッド部に連結するハンド部とを備えるブーケにおいて、前記ヘッド部側に電源線を介して複数の発光体を設け、前記ハンド部内に前記電源線を介して前記発光体に電力を供給する電源を備えるとともに、前記ハンド部の一部に前記電力の供給及び非供給を操作するスイッチを備え、前記複数の発光体を前記複数の装飾品の間や前記装飾品自体に鏤めて発光させることを特徴とする。
【００１０】
前記装飾品は、生殖または模造の草花であることを特徴とする。
【００１１】
前記電源線は、前記スイッチ側から前記ヘッド部側を通して外界に導かれることを特徴とする。
【００１２】
前記発光体は、ＬＥＤランプであることを特徴とする。
【００１３】
前記発光体は、前記装飾品を飾るべく所定の形状デザインに形成されていることを特徴とする。
【００１４】
前記電源は、乾電池または充電可能のバッテリからなる電源であることを特徴とする。
【００１５】
さらに本発明は、一または複数の装飾品を着脱可能に保持するヘッド部と、当該ヘッド部に連結するハンド部とを備えるブーケホルダにおいて、前記ヘッド部側に電源線を介して複数の発光体を設け、前記ハンド部内に前記電源線を介して前記発光体に電力を供給する電源を備えるとともに、前記ハンド部の一部に前記電力の供給及び非供給を操作するスイッチを備えることを特徴とする。
【発明の効果】
【００１６】
本発明によれば、生殖や模造のフラワー（草花）に対し光のイルミネーションを適度に効率良くより明るく与えることが可能で、かつ、電源の小型化とともに軽量化をも図ることが可能であり、人飾用や把持用としてより美しく、しかも格段に利便性をも向上させることができる。
【発明を実施するための最良の形態】
【００１７】
以下、図面を参照して、本発明に係るブーケ（生殖や模造のフラワーが装着されていない状態ではブーケホルダ、もしくはブライディとも呼ぶ）の一実施の形態について説明する。図１は本実施の形態のブーケの外観を示す正面図、図２は本実施の形態のブーケの内部構造を示す断面図である。
【００１８】
本実施の形態のブーケ１は、図１及び図２に示すように、ヘッド部２とハンド部３とを連結して構成されている。
【００１９】
ヘッド部２は、生殖または模造の装飾品としてのフラワー（草花：図示せず）を保持するスポンジとしての草花保持部１１を備える。草花保持部１１は、スポンジやゴム等の素材から、例えば大部分が所謂球状の形状に形成されている。
【００２０】
但し、草花保持部１１の素材には、例えばドライ（造花）用スポンジである場合、ウレタン、フェノール、発泡スチロール、スチレン（スタイロフォーム等）、あるいはポリウレタン等を用いることが好ましい。ドライ用スポンジである場合、草花保持部１１は一般にサハラとも呼ぶ。一方、草花保持部１１は生花用スポンジである場合、一般に吸水性の良い例えばスポンジ等を用いたオアシスとも呼ぶ。
【００２１】
所謂球状の草花保持部１１は、下方側の一部が底辺の方向に向けて外径が小さくなる所謂円錐形状の部分を有する。球状の部分と円錐形状の部分とはあらかじめ一体に形成されている。草花保持部１１の底面、即ち円錐形状の部分の底面は、水平の一平面に加工することが組立ての効率化を図る上で好ましい。
【００２２】
草花保持部１１の底面は、スポンジ用台座１２の上面に接合されている。スポンジ用台座１２は、草花保持部１１の円錐形状の部分を更に下方へ延長させる如く、概ね円錐形状の形状に形成されている。スポンジ用台座１２の上面も、水平の一平面に加工することが草花保持部１１との間の組立ての効率を向上させる上で好ましい。一方、草花保持部１１の底面と、スポンジ用台座１２の上面との接合には、例えば接着剤等を用いるという態様がある。
【００２３】
但し、草花保持部１１の底面と、スポンジ用台座１２の上面との接合には、超音波接合等の他、草花保持部１１の底面に装着した平板から突出するネジをスポンジ用台座１２に螺合するという態様を用いても良い。
【００２４】
スポンジ用台座１２の外表面には環状凸部１３が成形されており、スポンジ用台座１２の内部には、後述するハンド部３の球状のリンク部３１をある程度遊嵌的に嵌合する球状の空間部（符号を付さず）が形成されている。そのため、スポンジ用台座１２は、ハンド部３のリンク部３１のある程度遊嵌的な嵌合を可能にすべく、なるべく復帰力の高い伸縮性のある例えば樹脂等の部材を用いて成形することが好ましい。
【００２５】
草花保持部１１は、下方側のスポンジ用台座１２を介してハンド部３のリンク部３１の周りを摺動し揺動させて、適宜の角度の方向に固定的に向けさせることが可能である。草花保持部１１の揺動は、草花保持部１１で保持したフラワー（草花）の束に斜め前方等の方向に指向性をもたせることが可能である。但し、そのリンク部３１等の構成は必ずしも必要とするものではなく、草花保持部１１に対しハンド部３を相対的に非揺動の状態（即ち固定の状態）に接合しても良いことは勿論である。
【００２６】
一方、スポンジ用台座１２の内部には、詳しくは後述する発光体としての複数のＬＥＤランプ２９に電力を与える電源線（図２参照）２８を挿通し外界へ導くための電源線用の一または複数の孔（図示せず）が形成されている。複数の孔を用いる場合、複数のＬＥＤランプ２９を接続する複数の電源線を個別に外界に導くことが可能である。
【００２７】
ところで、草花保持部１１には、生殖または模造のフラワー（草花）の茎部分を差し込む極細い径の複数の孔があらかじめ形成されているものと考えても良い。その孔の径が極細い場合、フラワー（草花）の茎部分を強い反発力の圧力で保持してフラワーの所望の一定姿勢を維持することが可能である。但し、その孔を用いず、無孔の草花保持部１１の任意の位置にフラワー（草花）の茎部分を直接的かつ強制的に孔を開けつつ差し込むことでフラワーの所望の一定姿勢を維持するという構成を採用しても良い。
【００２８】
草花保持部１１の外表面には、ブライディネット（骨組：即ち網状のフレーム）１４で保護されている。ブライディネット１４を用いることで、草花保持部１１に多くの生殖または模造のフラワー（草花）の茎部分を差し込んでも草花保持部１１がその重みで球状の形状を崩してしまうことを有効に防止することが可能である。
【００２９】
ブライディネット１４は、草花保持部１１の外表面に接着剤等で直接的に装着するという態様、あるいは、下方の一部分をスポンジ用台座１２の外表面に接着剤等で直接的に装着するという態様、もしくは、その双方の態様を用いるという態様がある。
【００３０】
一方、ハンド部３は、例えば筒状に形成されており、内部の中空部分が電源としての例えば二つの乾電池２１の収容空間となっている。ハンド部３の外端側には電極端子２４を有する電池蓋２３が着脱可能に装着されている。但し電池２１を使用せず、充電可能のバッテリを使用しても良いことは勿論である。
【００３１】
ハンド部３の収容空間内の乾電池２１は、電池蓋２３の内側の電極端子２４、及び上記収容空間の内側の電極端子２５に対し電気的に接続されている。双方の電極端子２４，２５は、ハンド部３の筒状の側壁２６の一部に装着されたスイッチ（オン／オフの切換スイッチ）２７のプラス、マイナスの端子（図示せず）に電気的に接続されている。スイッチ２７の他の端子には上記電源線２８も電気的に接続されている。電源線２８には、例えば所定間隔毎に複数のＬＥＤランプ２９が電気的に接続されている。使用するＬＥＤランプ２９の数は２０個等に限定されものではなく任意の個数を用いて良い。
【００３２】
尚、各ＬＥＤランプ２９の形状についても、特段の制約はなく、多角形の発光面や星形の発光面等の他、任意の形状デザインを考慮しても良い。
【００３３】
スイッチ２７をオン操作した場合、乾電池２１の電力がスイッチ２７の端子を介して上記電源線２８に供給されるため、電源線２８に接続された複数の発光体としてのＬＥＤランプ２９が所定色に発光する。その発光色には特段の制限はなく、従ってＬＥＤランプ２９には任意の発光色で輝くＬＥＤランプを選定して良い。スイッチ２７をオフ操作した場合は、電力供給が絶たれるため、電源線２８上の各ＬＥＤランプ２９は消灯する。
【００３４】
ハンド部３の一端（上端）側には、上述した球状のリンク部３１が成形されていることは既に述べた通りである。尚、上記電源線２８はリンク部３１内を通して外界に導くという態様に限定されるものではなく、リンク部３１を嵌合させるスポンジ用台座１２の内部の球状の空間部（符号を付さず）に形成した溝（図示せず）を通って外界に導くようにしても良い。その場合、ヘッド部２の任意の揺動に際し電源線２８が支障を来たすという虞を考慮する必要がなくなる。
【００３５】
一方、本実施の形態のブーケ１は、ハンド部３の下方の一端の側を台座（図１、図２参照）４１の同図に点線で示す有底空間４２内に収容することで据置用として利用することも可能である。
【００３６】
尚、草花保持部（スポンジ）１１は、図示の如く球状の形状に限定されるものではなく、逆さの円錐状のものを斜めにカットし、そのカット面を主に各フラワーの保持領域として利用する構成等の他、あらかじめの製作思想やデザイン思想に基づき随時任意の形状に構成しても良い。ハンド部３についても、円筒状の形状に限定されるものではなく、その主に外形形状は多角形状の筒形等の他、同じくあらかじめの製作思想やデザイン思想に基づき随時任意の形状に構成しても良い。
【００３７】
一方、図３は本実施の形態のブーケ１の一使用例を説明する説明図である。本実施の形態のブーケ１を使用する場合、まず、ブーケ１のヘッド部２の草花保持部１１に、所望の複数の生花または模造のフラワー（草花）等を保持させて飾り付け、かつ必要に応じてリボン５１を飾り付ける。
【００３８】
次いでその状態で電源線２８を各フラワー等の裏になるべく隠しながら、所定のフラワーの間や、所定の各フラワーの花弁の間等にＬＥＤランプ２９を絡めるようにして鏤めてゆく。そして、ハンド部３のスイッチ２７をオン操作して、電池２１からの電力を電源線２８を介し各ＬＥＤランプ２９に供給し、各ＬＥＤランプ２９を発光させる。各ＬＥＤランプ２９の所定色の発光は、草花保持部１１で保持された各フラワーやその周囲を適度に明るく照らし、その装飾性をより美しく飾る。尚、各ＬＥＤランプ２９の発光（光の照射）は、図３に矢印で示す。
【００３９】
本実施の形態においては、まず、第１に、ヘッド部２に連結するハンド部３内の乾電池２１からの電力で発光する複数のＬＥＤランプ２９を上記フラワーの間やフラワー自体に鏤めて発光させるため、草花保持部１１で保持された各フラワーやその周囲を低消費電力で適度に明るく照らし、その各フラワーの装飾性をより美しく輝かせ、より素晴しく華やかに飾り立てることができる。
【００４０】
上記利点は、各フラワーやその周囲に掛け回すことが可能である電源線２８を用いるとともに、その電源線２８に複数のＬＥＤランプ２９を装着するという技術的思想を見出すことができたがゆえに発揮することが可能となった。
【００４１】
第２に、電源線２８は、ハンド部３側からヘッド部２を通して外界に導くため、ヘッド部２が保持する各フラワーの極近くで処理することが可能であり、そのため、各フラワーの裏側に隠し易く、外観の美観を損ねる虞が全くない。しかも電源線２８は、変形に対する自由度が大きく、フラワーの交換で、その高さ位置が換ったとしても、即座に無理なく対応することができ、その観点からも利便性を向上させることができる。
【００４２】
第３に、発光体がＬＥＤランプ２９であるため、消費電力が少なくて済む分、電源の小型化とともに軽量化を図ることが可能であり、人飾用や把持用として利便性を向上させることができる。
【００４３】
第４に、複数のＬＥＤランプ２９を鏤めるため、光ファイバの発光面積よりもかなり大きな発光面積を容易に現出することが可能であり、そのため、光の装飾的効果をより向上させることができる。しかもＬＥＤランプ２９は、所定の形状デザインに形成されているため、ＬＥＤランプ２９そのものを観照された場合でも全く違和感なく美しさを発揮することができる。
【００４４】
第５に、ハンド部３に電源としての乾電池２１を収容するとともに、オン／オフのスイッチ２７を装着し、かつ外界に引き出される電源線２８にあらかじめ複数のＬＥＤランプ２９を備えるという構成であるため、組立てが容易であって、製作時間を短縮することが可能であり量産性も向上するという利点がある。
【図面の簡単な説明】
【００４５】
【図１】本発明の実施の形態に係るブーケの外観を示す正面図である。
【図２】上記ブーケの内部構造を示す断面図である。
【図３】上記ブーケの一使用例を説明する説明図である。
【符号の説明】
【００４６】
１  ブーケ
２  ヘッド部
３  ハンド部
１１  草花保持部
１２  スポンジ用台座
１３  環状凸部
１４  ブライディネット
２１  乾電池
２３  電池蓋
２４，２５  電極端子
２６  側壁
２７  スイッチ
２８  電源線
２９  ＬＥＤランプ
３１  リンク部
４１  台座
４２  有底空間
５１  リボン
【図１】
2007098762.tif 000003
【図２】
2007098762.tif 000004
【図３】
2007098762.tif 000005